(57)【要約】【課題】  海水魚用水槽の外壁面に、海水の流れ出しによる塩垂れの付着を防止して、海水魚用水槽が塩垂れによって汚損することがなく、水槽の外観上の美観を損なうことがない。【解決手段】  上面を開放した水槽１の上縁に受け部材１０を着脱可能に設け、その受け部材１０上に、塩垂れ防止本体２０を載せ、この塩垂れ防止本体２０は、水槽１の開放上面を覆う天板２１と、この天板２１の内面より一体に垂下する波受け壁２２よりなり、この波受け壁２２の下端部を、海水内に浸漬させ、海水の波立ちを、この塩垂れ防止本体２０で受け止める。【選択図】      図３
2006314294.tif 000002
【特許請求の範囲】
【請求項１】
上面を開放した水槽（１）の上縁に受け部材（１０）を着脱可能に設け、その受け部材（１０）上に、塩垂れ防止本体（２０）を載設し、この塩垂れ防止本体（２０）は、水槽（１）の開放上面を覆う天板（２１）と、この天板（２１）の内面より一体に垂下する波受け壁（２２）よりなり、この波受け壁（２２）の下端部を、水槽（１）内の海水内に浸漬させてなることを特徴とする、海水魚用水槽の塩垂れ防止具。
【請求項２】
前記波受け壁（２２）は、水槽（１）に設けられる濾過装置（Ｆ；Ｆ′）の海水噴出口（５０；１５０）に対向するように設けられていることを特徴とする、前記請求項１記載の海水魚用水槽の塩垂れ防止具。
【発明の詳細な説明】
【技術分野】
【０００１】
本発明は、海水魚を飼育する水槽の、外壁面への塩垂れを防止するようにした、海水魚用水槽の塩垂れ防止具に関する。
【背景技術】
【０００２】
近年、コバルトスズメ、クマノミなどの色彩が豊かで、愛くるしい海水魚を水槽内で飼育して楽しむことが普及している。
【発明の開示】
【発明が解決しようとする課題】
【０００３】
ところで、水槽内で海水魚をうまく飼育するには、濾過装置で浄化した海水が水槽内に噴出されるときに、その噴出海水によって海水面の波立ちを多くして比較的多くの空気（酸素）を海水内に混入させることが良いとされているが、このようにすれば、水槽内の海水面の波立ちが大きくなり、図７に示すように  海水の一部が水槽１の上縁を伝わってその外壁面に筋状に流れ出し、その流れ出した海水が乾燥して塩垂れＳとなり、水槽１の外観上の美観を著しく損ね、また、この塩垂れＳが、水槽１の外壁面にこびり付いて取り除くのが厄介であるという問題がある。
【０００４】
本発明はかかる事情に鑑みてなされたもので、海水が水槽の外に流れ出るを防止して、前記問題を解決できるようにした、新規な海水魚用水槽の塩垂れ防止具を提供することを目的とする。
【課題を解決するための手段】
【０００５】
上記目的を達成するために、請求項１の発明は、上面を開放した水槽の上縁に受け部材を着脱可能に設け、その受け部材上に、塩垂れ防止本体を載設し、この塩垂れ防止本体は、水槽の開放上面を覆う天板と、この天板の内面より一体に垂下する波受け壁よりなり、この波受け壁の下端部を、水槽内の海水内に浸漬させてなることを特徴としている。
【０００６】
また、上記目的を達成するために、請求項２の発明は、前記請求項１記載のものにおいて、前記波受け壁は、水槽に設けられる濾過装置の海水噴出口に対向するように設けられていることを特徴としている。
【発明の効果】
【０００７】
請求項各項記載の発明によれば、海水魚用水槽の外壁面に、海水の垂れ出しによる塩垂  れの付着を防止して、海水魚用水槽が塩垂れによって汚損することがなく、該水槽の外観上の美観を損なうことがない。
【発明を実施するための最良の形態】
【０００８】
本発明の実施の形態を、添付図面に例示した本発明の実施例に基づいて以下に具体的に  説明する。
【０００９】
図１〜５は、本発明の第１実施例を示すものであり、図１は、本発明塩垂れ防止具を備えた水槽の上面図、図２は、図１の２−２線に沿う断面図、図３は、図１の３−３線に沿う断面図、図４は、図１の４−４線に沿う断面図、図５は、本発明塩垂れ防止具の斜視図である。
【００１０】
海水魚を飼育すべく、海水の貯留される水槽１は直方体に形成されて、その開放上面には、本発明にかかる塩垂れ防止具が取り外し可能に載置され、また、水槽１内の背面には、該水槽１内の海水を循環濾過する背面式濾過装置Ｆが設けられる。
【００１１】
つぎに、本発明にかかる塩垂れ防止具の構造について説明するに、この塩垂れ防止具は、水槽１の開放上面に取り外し可能に支持される複数の受け部材１０と、これらの受け部材１０上に載置される塩垂れ防止本体２０とより構成されている。
【００１２】
前記複数の受け部材１０は、合成樹脂樹脂材により作られており、図１，５に明瞭に示すように、一対のコーナ受け部材１１と、一対の中間受け部材１２とよりなり、コーナ受け部材１１は、水槽１のコーナ部２に着脱可能に支持されるように、アングル状に形成されていて、その下面に係合溝１１ａを有すると共にその上面に塩垂れ防止本体２０のコーナ部を受ける凹状の受部１１ｂが形成されている。また、前記中間受け部材１２は、水槽１の中間上縁部３に着脱可能に支持されるように、直状に形成されていて、水槽１の中間上縁部３にスライド可能かつ着脱可能に支持されるように、その下面に係合溝１２ａを有すると共にその上面に塩垂れ防止本体２０の側縁を受ける凹状の受部１２ｂが形成されている。
【００１３】
また、前記塩垂れ防止本体２０は、透明な、アクリル板などの合成樹脂板、ガラス板などにより作られており、天板２１と、この天板２１の内面（裏面）に一体に垂下される波受け壁２２とより構成されている。図１に示すように、前記天板２１は、水槽１の開口上面内に納まるような大きさの長方形に形成されており、その横幅は、水槽１の横幅よりも短くしてあり、前記背面式濾過具Ｆから離れて水槽１の開口上面に、前記受け部材１０を介して載置される。また、前記波受け壁２２は、平面形状がコ字状に形成されていて、天板２１の、背面式濾過装置Ｆに近い一辺を除く、他の３辺の内面に、受け部材１０への受け代１４を残して一体に垂下されている。
【００１４】
前記塩垂れ防止具を、水槽１の上面にセットするには、図１〜３に示すように、水槽１の開口上面のコーナ部２および中間上縁部３に、一対のコーナ受け部材１１および一対の中間受け部材１２をそれぞれ支持させたのち、それらの受け部材１１，１２の受部１１ｂ，１２ｂ上に塩垂れ防止本体２０の天板２１の受け代１４を載置する。このとき、中間部受け部材１２をスライド調整して、受け部材１０により、塩垂れ防止本体２０の四隅を支持するようにする。塩垂れ防止本体２０は、水槽１の前側に偏らせて濾過装置Ｆから離れるように配置する。これにより、後に述べるように、濾過装置Ｆから噴出する海水が、塩垂れ防止本体２０内に向かうようにする。また、図２，３に示すように、波受け壁２２の下端部は、水槽１内の海水内に浸漬させる。
【００１５】
一方、背面式濾過具Ｆは、水槽１内の背面に複数の吸盤３３を介して吸着保持される。この濾過具Ｆの主体部分を構成する濾過ケース３０は、硬質の合成樹脂材により四角で偏平な密閉状に形成されている。濾過ケース３０内の下部にモータ室３５が、その上方に比較的大きな容積を占める濾過室３６が形成され、さらに、濾過室３６とモータ室３５の一側に、それらに跨がって上下方向に長い吸水路３７が形成されている。モータ室３５には、水中モータ３９が収容され、濾過室３６には、四角な板状の濾過エレメント４０が収容されている。モータ室３５と濾過室３６とを仕切る仕切壁４２には多数の通水孔４５が開口され、また、濾過室３６と吸水路３７とを仕切る仕切壁４３には、流入口４６が開口されている。水中モータ３９の吸込ポート３９ａは、モータ室５に開口され、またその吐出ポート３９ｂには、モータ室３５と吸込路３７とを仕切る仕切壁４４を貫通するエルボ状の吐出管４７が接続され、この吐出管４７の出口には、給水管４８の下端が接続されている。この給水管４８は、前記吸水路３７内を縦方向に縦走しており、その上端に、シャワー管４９が接続されている。このシャワー管４９は、濾過ケース３０の外側を、その上壁に沿って配置されており、このシャワー管４９には、水槽１内に指向される複数の海水噴出口５０が、その長手方向に沿って設けられる。吸水路３７の下部側面には多数の吸水孔３１が開口されている。水中モータ３９の駆動用コード３２は、モータ室３５より吸水路３７を通り、その上部より外部に延出されている。
【００１６】
水中モータ３９を駆動すれば、水槽１内の未濾過の海水は、図４矢印ａに示すように、吸水孔３１より吸水路３７内に吸入され、そこから流入孔４６を通って図４矢印ｂに示すように、濾過室３６内に流入し、ここで濾過エレメント４０を通過して濾過された後、図４矢印ｃに示すように、通水孔４５を通りモータ室３５に吸い込まれる。水中モータ３９により加圧された濾過後の水は、図４矢印ｄに示すように、給水管４８内を上方に流れ、そこからシャワー管４９に入り、図３矢印ｅに示すように、複数の海水噴出口５０から水槽１内に噴出される。
【００１７】
つぎに、この実施例の作用について説明する。
【００１８】
水槽１の開口上面に、前述のように塩垂れ防止具をセットして、該塩垂れ防止具の波受け壁２２の下端部を水槽１内の海水内に浸漬させる。
【００１９】
ここで、濾過装置Ｆを稼働すれば、前述したように、水槽１内の未浄化の海水は濾過装置Ｆ内を循環して濾過されたのち、海水噴出口５０から水槽１内に噴出される。噴出海水は、図１矢印ｅ，ｆに示すように、概ね海水の液面に沿い、塩垂れ防止本体２０に向かって流れる。これにより、水槽１内の海水は大きく波立つが、この波立った海水は、塩垂れ防止本体２０の波受け壁２２および天板２１により受け止められて、その外部に飛散することが防止される。したがって、波立った海水が水槽１の上縁を超えてその外壁面に垂れ落ちることが防止されて、その外壁面に、海水垂れの乾燥による塩垂れができることがなく、水槽１の外観上の美観を損ねることがない。
【００２０】
つぎに、図６を参照して本発明の第２実施例について説明する。
【００２１】
図６は、本発明塩垂れ防止具を備えた水槽の断面図であり、図中、前記第１実施例と同じ要素には同じ符号が付されている。
【００２２】
この第２実施例は、前記第１実施例の背面式の濾過装置Ｆに代えて壁掛け式の外部濾過装置Ｆ′を用いた場合であり、他の構成は前記第１実施例と同じである。
【００２３】
壁掛け式の外部濾過装置Ｆ′は、水槽１の壁面に壁掛け可能な濾過ケース１３０を備え、この濾過ケース１３０内にモータ１３９により作動される、従来公知の濾過手段が設けられる。濾過手段の吸込側に接続される吸込管１３７は、海水中に浸漬され、濾過手段の吐出側に接続される放水管１４９の海水噴出口１５０は、海水面に沿わせてある。モータ１３９を駆動すれば、海水は吸込管１３７を通って濾過ケース１３０内に吸引されて濾過手段により濾過されたのち、放水管１４９の海水噴出口１５０から水槽１内の海水面に沿い、塩垂れ防止本体２０に向かって噴出される。これにより、水槽１内の海水は大きく波立つが、この波立った海水は、塩垂れ防止本体２０の波受け壁２２および天板２１により受け止められて、その外部に飛散することが防止される。したがって、波立った海水が、水槽１の上縁を超えてその外壁面に垂れ落ちることが防止されて、その外壁面に、海水垂れの乾燥による塩垂れができることがなく、水槽１の外観上の美観を損ねることがない。
【００２４】
なお、前記壁掛け式の外部濾過装置Ｆ′は従来公知のものであるので、その詳細な説明を省略する。
【００２５】
以上、本発明の実施例について説明したが、本発明はその実施例に限定されることなく、本発明の範囲内で種々の実施例が可能である。
【００２６】
たとえば、前記実施例では、波受け壁２２は、平面コ字状に形成されるが、他の形状に形成してもよく、この場合に、塩垂れ防止本体２０には濾過装置Ｆ；Ｆ′からの波立ち海水を受け入れる開口が設けられる。
【図面の簡単な説明】
【００２７】
【図１】塩垂れ防止具を備えた水槽の上面図（第１実施例）
【図２】図１の２−２線に沿う断面図（第１実施例）
【図３】図１の３−３線に沿う断面図（第１実施例）
【図４】図１の４−４線に沿う断面図（第１実施例）
【図５】塩垂れ防止具の斜視図（第１実施例）
【図６】塩垂れ防止具を備えた水槽の断面図（第２実施例）
【図７】従来の海水魚用水槽の斜視図
【符号の説明】
【００２８】
１・・・・・・・水槽
１０・・・・・・・受け部材
２０・・・・・・・塩垂れ防止本体
２２・・・・・・・波受け壁
５０；１５０・・・海水噴出口
Ｆ；Ｆ′・・・・・濾過装置
【図１】
2006314294.tif 000003
【図２】
2006314294.tif 000004
【図３】
2006314294.tif 000005
【図４】
2006314294.tif 000006
【図５】
2006314294.tif 000007
【図６】
2006314294.tif 000008
【図７】
2006314294.tif 000009